(57)【要約】      （修正有）【課題】隣接建造物における火災発生時の高温度化した屋外気の流入を防ぐための熱膨張材を備えた換気棟を提供する。【解決手段】建造物の頂部を開口する開口部１１に取り付け、屋内気を換気する換気棟１であって、開口部１１の軒方向両側に遮断部２３、２３を有する水切り２１、２１が配置され、換気棟１を構成する外壁３１の内側から通気路８へと遮断壁３３、３３が配置され、この遮断壁３３、３３の開口部１１側に熱膨張材７、７を配置したことを特徴とする。熱膨張材７、７が遮断壁３３、３３の開口部１１側に配置されることにより、屋内気の通気を阻害することなく、配置することが可能になる。【選択図】図２
0003188360.tif 000002
【実用新案登録請求の範囲】
【請求項１】
建造物の頂部から軒方向に傾斜する屋根に沿って取り付ける換気棟であって、
前記建造物の頂部を開口する開口部と、
前記開口部から排出口に至るまで換気棟内部に形成される通気路と、
前記開口部より軒方向側で、前記換気棟の外壁内側から通気路を一部遮断する遮断壁と、を有し、
前記開口部と前記遮断壁との間であって、前記換気棟の外壁内側に熱膨張材を配置したことを特徴とする熱膨張材を備えた換気棟。
【請求項２】
前記開口部の軒方向側に、略垂直上方向に遮断部を有する水切りが配置され、前記水切りの高さは、遮断壁の先端部と略同一高さ以上であることを特徴とする請求項１に記載の熱膨張材を備えた換気棟。
【請求項３】
遮断壁の軒方向側に、箱状排出部が形成され、
前記箱状排出部は、この箱状排出部に屋内気を流入する流入口と、換気棟から排出する排出口とを有することを特徴とする請求項１または２のいずれかに記載の熱膨張材を備えた換気棟。
【請求項４】
通気路内に複数の遮断壁が配置される換気棟において、熱膨張材が配置される遮断壁は、最も開口部側に位置するものであることを特徴とする請求項１、２または３のいずれかに記載の熱膨張材を備えた換気棟。
【考案の詳細な説明】
【技術分野】
【０００１】
本考案は、屋根の頂部を開口して屋内気を換気するための換気棟に、隣接建造物における火災発生時の高温度化した屋外気の流入を防ぐための熱膨張材を備えたものに関する。
【背景技術】
【０００２】
従来から屋根の頂部を開口して屋内気を換気するための換気棟に熱膨張材を備えた技術は存在した。換気棟は屋内に熱が充満した場合に、屋根の開口部から排出して換気を行い、結露を防止することを主たる目的とする。ところが、建造物周辺で火災等が発生した場合、この換気棟を通じて、高熱の屋外気が流入し、屋内温度が極めて高くなり、ひいては延焼の危険性があった。そこで、高熱の屋外気の流入を防ぐために、所定温度に達すると膨張する熱膨張材を通気路に備えた換気棟が存在した。
【０００３】
熱膨張材を備えた換気棟１０１の従来例を図６（ａ）、（ｂ）に示す。図６（ａ）に示すように、従来の換気棟１０１は、屋根を開口した開口部１０２の両側に垂直方向に突出している水切り１０３、１０３が配置される。屋内気は開口部１０２から換気棟１０１の内部に入り、排出口１０８から排出される。
【０００４】
図６（ｂ）に示すように、この水切り１０３、１０３のカエシ１０４、１０４に係合する係合部１０６、１０６を有する箱体１０５に熱膨張材１０７を配置していた。この熱膨張材１０７を備えることで、近隣の火災発生の場合に屋外から高温度化した屋外気が侵入したとき、箱体１０５内で熱膨張材１０７が膨張して通気経路を遮断することが可能であった。
【０００５】
このような熱膨張材１０７の配置手段は、通常時に屋内気の通過に妨げとならないように、箱体１０５の上面１１１と下面１１２は網目状に形成されていた。しかし、換気棟１０１は一般に屋内の暖気がその比重により自然的に換気されることを前提とするものであって、ファンその他の動力による強制的な換気手段ではない。そのため、上面１１１、下面１１２が網目になっているとしても、一部通気が遮断され、箱体１０５を取り付けない場合に比べて通気率は４０％程度低下せざるを得なかった。
【考案の概要】
【考案が解決しようとする課題】
【０００６】
そこで、熱膨張材を配置したとしても、通気を阻害しない換気棟が望まれていた。
【課題を解決するための手段】
【０００７】
本考案の熱膨張材を備えた換気棟は、建造物の頂部から軒方向に傾斜する屋根に沿って取り付ける換気棟であって、前記建造物の頂部を開口する開口部と、前記開口部から排出口に至るまで換気棟内部に形成される通気路と、前記開口部より軒方向側で、前記換気棟の外壁内側から通気路を一部遮断する遮断壁と、を有し、前記開口部と前記遮断壁との間であって、前記換気棟の外壁内側に熱膨張材を配置したことを特徴とする。
【０００８】
また、前記開口部の軒方向側に、略垂直上方向に遮断部を有する水切りが配置され、前記水切りの高さは、遮断壁の先端部と略同一高さ以上であることが好ましい。
【０００９】
また、遮断壁の軒方向側に、箱状排出部が形成され、前記箱状排出部は、この箱状排出部に屋内気が流入する流入口と、換気棟から排出する排出口とを有することが好ましい。
【００１０】
また、通気路内に複数の遮断壁が配置される換気棟において、熱膨張材が配置される遮断壁は、最も開口部側に位置するものであることが好ましい。
【考案の効果】
【００１１】
請求項１に記載の換気棟により、熱膨張材が換気棟内の通気路内において、遮断壁の開口部側に配置されることにより、通気を阻害することがなくなり、換気効率が上がる。
【００１２】
請求項２に記載の換気棟により、換気される屋内気が、水切りによりいったん換気棟内の通気路上方へ移動し、その後に遮断壁の下側へと移動するため、熱膨張材の配置により通気を阻害することがなくなる。
【００１３】
請求項３に記載の換気棟により、箱状排出部に屋内気が移動するため、遮断壁を回避するように通気することから、熱膨張材の配置により通気を阻害することがなくなる。
【００１４】
請求項４に記載の換気棟により、屋内気はいったん通気路内で頂部まで上昇し、その後に最も開口部側の遮断壁の下側を、軒方向に向けて下ってくるように流れる。そのため、複数の遮断壁が配置される場合、最も開口部側の遮断壁において、その開口部側に熱膨張材を配置することが屋内気の通気を阻害しない。
【図面の簡単な説明】
【００１５】
【図１】本考案の換気棟の全体を示す断面図である。
【図２】本考案の換気棟のうち開口部及び排出口周辺を拡大して示す一部拡大断面図である。
【図３】本考案の換気棟による屋内気の排出経路を示す一部拡大断面図である。
【図４】本考案の換気棟において、熱膨張材が膨張して通気路を閉鎖した状態を示す一部拡大断面図である。
【図５】本考案の換気棟を取り付けた状態を示す一部拡大斜視図である。
【図６】従来例を示すものであり、（ａ）はその全体を示す断面図、（ｂ）は熱膨張材を備えた箱体をカエシに装着する状態を示す一部拡大断面図である。
【考案を実施するための形態】
【００１６】
本考案の実施の一例を図面に沿って説明する。図１に示すように、換気棟１は、建造物２の屋内気を換気するために、屋根の頂部を開口して、当該位置に設置する。これは、建造物２の野路板３、３及び屋根材４、４を、その頂部から軒方向にスライドして開口するものであって、これが開口部１１となる。
【００１７】
換気棟１は、屋根の頂部を頂点にし、屋根の傾斜に沿って軒方向両側に傾斜するように形成された外壁３１と、この外壁３１の内側（通気路８側）に取り付けられる箱状排出部３２、３２により構成される。換気棟１は、開口部１１を形成するためにスライドした屋根材４、４と野路板３、３、垂木５に支持された棟木６、６にまでビス１２、１２を通して、建造物２に固定される。なお、本実施形態は、山形屋根の頂部から軒方向両側に傾斜する換気棟１を例示するものであるが、軒方向の一方側のみに傾斜する換気棟であっても良い。
【００１８】
図２に示すように、開口部１１の上側に、水切り２１、２１が、その軒方向両側に配置される。水切り２１、２１は、屋根材４、４の軒方向への傾斜と同じように傾斜した保持部２２、２２と、この保持部２２、２２の端部から垂直方向に延びる遮断部２３、２３と、この遮断部２３、２３の上端を軒方向よりも大きく折曲したカエシ２４、２４とから構成される。
【００１９】
この水切り２１、２１は、保持部２２、２２を、棟木６、６と屋根材４、４との間に挟み込んで配置する。この水切り２１、２１が配置されることにより、屋内気が開口部１１から上昇し、遮断部２３、２３の間を通じ、換気棟１の通気路８内部に送り込むことができるとともに、換気棟１の外部からの風雨が通気路８内を経て開口部１１へ侵入するのを遮断したり、屋根材４、４の表面をつたって風雨が侵入しても、カエシ２４、２４により、開口部１１内へ侵入するのを遮断することができる。
【００２０】
本実施形態における水切り２１、２１の遮断部２３、２３は、開口部１１の両側から垂直上方向となるように配置されているが、軒方向側に傾斜する形態であったり、遮断部２３、２３の中間付近で一部折曲する形態であっても良い。
【００２１】
外壁３１と、箱状排出部３２、３２は、ガルバニウム鋼板を用い、この鋼板を折曲して製造する。図５に示すように、箱状排出部３２、３２は、外壁３１の頂部から軒方向側で、外壁３１の内側で箱状となるように取り付けられる。
【００２２】
図２、図５に示すように、外壁３１の内側（通気路８側）であって、軒方向側に、２つの箱状排出部３２、３２が取り付けられる。各々の箱状排出部３２、３２の開口部１１側は、一部開口されており、内部に屋内気を流入させることができる流入口１３、１３が形成されている。また、箱状排出部３２、３２が取り付けられた外壁３１には排出口１４、１４が開口され、箱状排出部３２、３２に流入した屋内気を排出することができる。
【００２３】
この排出口１４、１４の具体的形態は、複数の孔１４ａ、１４ａと、この孔１４ａ、１４ａの各々の開口部１１側の縁から垂下し、さらに軒方向に折曲する遮断部１４ｂ、１４ｂと、により構成される。この遮断部１４ｂ、１４ｂにより、排出口１４、１４から風雨が直接流入することを防止することができる。
【００２４】
なお、箱状排出部３２、３２の下面は、下地材９（図２）を介して、屋根材４、４に接触し、この部分から通気することを防止するとともに、雨水等が流入することを防止している。さらに、図１に示すように、箱状排出部３２、３２の下面の軒方向側には、穴３４、３４が形成され、箱状排出部３２、３２に流入した風雨を排出することができる。
【００２５】
次に、換気棟１の換気経路を図３に示す。建造物２の屋内気のうち比重の軽い暖気が上昇し、開口部１１を通じて水切り２１、２１の間を通り、換気棟１内部の通気路８に入る（矢印線Ａ）。その後、換気棟１内部の中央部分である頂部付近で外壁３１の内面にあたり、軒方向へ流れる（矢印線Ｂ）。軒方向に流れた屋内気は、遮断壁３３、３３の先端部３３ａ、３３ａの下側を通り、箱状排出部３２、３２に流入する（矢印線Ｃ）。そして、箱状排出部３２、３２内部を通り、排出孔１４、１４から屋外へ排出される。なお、換気棟１は、屋内気を排出することを目的とするものであるが、気圧や気温、風雨による天候等の諸条件により屋外気が入って換気される場合もある。本実施形態では両用途の換気棟を排除するものではない。
【００２６】
本実施形態に用いる熱膨張材７、７は、外気が２００℃に達すると発泡して約３０倍に膨張し、耐火性を有する材質である。膨張温度や膨張率は換気棟の使用態様によって、適宜、変更しても良く、これのみに限定されない。熱膨張材７、７は屋外における火災発生時の延焼防止の目的により設置されるものであるため、外壁３１の通気路８側に配置して、外気温を感知し易くする。具体的には外壁３１に接着剤等により貼付する。
【００２７】
熱膨張材７、７は、発泡して膨張したものが換気棟１の通気路８内を密封して外気を遮断しなければならないので、開口部１１の垂直方向上側には配置しない。この場合には、発泡した膨張剤が開口部１１から屋内に落ち込んで、通気路を遮断しなくなるためである。  また、箱状排出部３２、３２内は通気路８が換気棟１の内で比較的狭くなるため、この部分に熱膨張材７、７を配置しては、換気率が減少してしまう。そのため、熱膨張材７、７は外壁３１の通気路８側であって、遮断壁３３、３３の開口部１１側に配置する。
【００２８】
本実施形態における熱膨張材７、７は、遮断壁３３、３３に隣接して、その開口部１１側に配置されている。熱膨張材７、７は、開口部１１と遮断壁３３、３３との間の位置において、外壁の内側（通気路８側）に配置されるものであり、必ず隣接するものではなく、遮断壁３３、３３と所定の間隔を開けて配置してもよい。
【００２９】
また、図示しないが、換気棟１の外壁３１から内側（通気路８側）に突出する遮断壁３３、３３が複数配置される場合、熱膨張材７、７は最も開口部１１側の遮断壁３３、３３に隣接して、その遮断壁３３、３３の更に開口部１１側に配置されることが好ましい。
【００３０】
図３に示すように、屋内気は開口部１１から水切り２１、２１の遮断部２３、２３の間を通じて換気棟１の内部に流入するが、まず、換気棟の頂部付近まで上昇してから軒方向へ移動する。そして、外壁３１の上側から下側にかけて配置される遮断壁３３、３３の先端部３３ａ、３３ａの下側を通過し、流入口１３、１３から箱状排出部３２、３２に流入する。そのため、遮断壁３３、３３の開口部１１側は最も通気を阻害しない位置となる。
【００３１】
この遮断壁３３、３３の開口部１１側に熱膨張材７、７を配置するにあたって、熱膨張材７、７は膨張前の通常時では薄手の平板状に形成され、その厚みは遮断壁３３、３３の先端部３３ａ、３３ａの高さよりも低いものが好ましい。これにより、通気を阻害しない（図３の矢印線Ｃ参照）。
【００３２】
水切り２１、２１の上端に位置するカエシ２４、２４の高さが、遮断壁３３、３３の先端部３３ａ、３３ａよりも同じか、それ以上の高さであることが好ましい。この場合、いったん屋内気が遮断壁３３、３３の先端部３３ａ、３３ａよりも高い位置に移動し、それから遮断壁３３、３３の先端部３３ａ、３３ａの下側を通過するため、遮断壁３３の末端である外壁３１と隣接する位置となる熱膨張材７、７の配置する部分には、最も通気を阻害しない部分となるためである。
【００３３】
図４に示すように、本実施形態の熱膨張材７、７が屋外気により膨張した場合、換気棟１の通気路８を閉鎖することができる。すなわち、熱膨張材７、７は、遮断壁３３、３３に沿って下方向へ、外壁３１に沿って開口部１１の方向へ、膨張する。この膨張は、水切り２１、２１の上部から開口部１１へとこぼれ落ちるものもあるが、そのほとんどは水切り２１、２１と箱状排出部３３、３３の流入口１３付近で充満する。これにより、換気棟１内部の通気路８を適切に閉鎖し、高温の屋外気が排出口１４から通気路８内から開口部１１への流入（矢印線Ｅ）を遮断することができる。
【符号の説明】
【００３４】
１…換気棟
２…建造物
８…通気路
１１…開口部
１３…流入口
１４…排出口
２１…水切り
３１…外壁
３２…箱状排出部
３３…遮断壁
３３ａ…先端部
【図１】
0003188360.tif 000003
【図２】
0003188360.tif 000004
【図３】
0003188360.tif 000005
【図４】
0003188360.tif 000006
【図５】
0003188360.tif 000007
【図６】
0003188360.tif 000008